(57)【要約】 【課題】互いに直交する第１の線状材と第２の線状材との交差部を安定状態で強固に連結し得る交差部連結用のフックバンドを提供する。【解決手段】互いに直交するする第１の線状材２と第２の線状材３との交差部５を連結するフックバンドである。第１の線状材２の裏面部６を支持するＵ字状屈曲部７の左右両端に、第２の線状材３を第１の線状材２に向けて押圧する押圧線状部９，９が連設され、両押圧線状部９，９の先端部に円弧状係合片１１，１１が位置をずらして突設されている。押圧線状部９，９には、サイズの大なるＶ字状の押圧屈曲部１２ａとサイズの小なるＶ字状の押圧屈曲部１２ｂが隣り合わせて設けられている。押圧屈曲部１２ａは、格子状パネルを構成する２本の横線材を収容させ、これを支柱２０に押圧する。前記押圧屈曲部１２ｂは格子状パネル１９の１本の横線材１７を収容させ、これを支柱２０に押圧する。【選択図】図２
2017219164.tif 000002
【特許請求の範囲】
【請求項１】
互いに直交する第１の線状材と第２の線状材との交差部を連結する交差部連結用のフックバンドであって、
弾力性を有する１本の金属線材を屈曲して形成されており、
該第１の線状材の裏面部を支持するＵ字状屈曲部の左右両端に、前記第２の線状材を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されており、
前記両押圧線状部には、前記第２の線状材の１本乃至複数本を収容させるためのＶ字状の押圧屈曲部が設けられ、該両押圧線状部に設けられている左右のＶ字状の押圧屈曲部は対向配置されており、該両Ｖ字状の押圧屈曲部は、Ｖ字の両側辺部が直線状を呈し、該Ｖ字状の押圧屈曲部のＶ字の底部分及び／又は該側辺部が、前記第２の線状材を前記第１の線状材に向けて押圧し得ることを特徴とする交差部連結用のフックバンド。
【請求項２】
互いに直交する第１の線状材と第２の線状材との交差部を連結する交差部連結用のフックバンドであって、
弾力性を有する１本の金属線材を屈曲して形成されており、
前記第１の線状材の裏面部を支持するＵ字状屈曲部の左右両端に、前記第２の線状材を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されており、
前記両押圧線状部には、前記第２の線状材を収容させるための複数個のＶ字状の押圧屈曲部が該押圧線状部の長さ方向に並設され、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材の１本乃至複数本を前記第１の線状材に向けて押圧し得ることを特徴とする交差部連結用のフックバンド。
【請求項３】
互いに直交する第１の線状材と第２の線状材との交差部を連結する交差部連結用のフックバンドであって、
弾力性を有する１本の金属線材を屈曲して形成されており、
前記第１の線状材の裏面部を支持するＵ字状屈曲部の左右両端に、前記第２の線状材を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されており、
前記両押圧線状部には、前記第２の線状材を収容させるための２個のＶ字状の押圧屈曲部が該押圧線状部の長さ方向に隣り合わせて設けられ、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得るものであり、何れか一方のＶ字状の押圧屈曲部は他方のＶ字状の押圧屈曲部よりも、前記両側辺部の長さが長く形成されてサイズが大きく形成されており、
サイズの大なる前記Ｖ字状の押圧屈曲部は、２本の前記第２の線状材を収容させることができると共に、サイズの小なる前記Ｖ字状の押圧屈曲部は、１本の前記第２の線状材を収容させることができることを特徴とする交差部連結用のフックバンド。
【請求項４】
縦方向に延長する縦線材と横方向に延長する横線材とを格子状に接合して構成された格子状パネルの端部分相互の重なりである二重部分の２本の横線材を一纏めにして支柱に押圧して連結し得ると共に、該格子状パネルの一重部分の１本の横線材を支柱に押圧して連結し得るフェンス用の交差部連結用のフックバンドであって、
弾力性を有する１本の金属線材を屈曲して形成されており、
前記支柱を嵌め入れて該支柱の裏面部を支持するＵ字状屈曲部の左右両端に、前記横線材を該支柱に向けて押圧する左右一対の押圧線状部が、所要間隔を隔てて且つ前記支柱の略長さ方向に延長する如く連設されると共に、該両押圧線状部の先端部に、前記支柱の裏面部に弾性圧接状態に当接し得る円弧状係合片が該支柱の長さ方向で位置をずらして逆方向に突設されており、
前記両押圧線状部には、複数個のＶ字状の押圧屈曲部が該押圧線状部の長さ方向に並設され、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得ることを特徴とするフェンス用の交差部連結用のフックバンド。
【請求項５】
縦方向に延長する縦線材と横方向に延長する横線材とを格子状に接合して構成された格子状パネルの端部分相互の重なりである二重部分の２本の横線材を一纏めにして支柱に押圧して連結し得ると共に、該格子状パネルの一重部分の１本の横線材を支柱に押圧して連結し得るフェンス用の交差部連結用のフックバンドであって、
弾力性を有する１本の金属線材を屈曲して形成されており、
前記支柱を嵌め入れて該支柱の裏面部を支持するＵ字状屈曲部の左右両端に、前記横線材を該支柱に向けて押圧する左右一対の押圧線状部が、所要間隔を隔てて且つ前記支柱の略長さ方向に延長する如く連設されると共に、該両押圧線状部の先端部に、前記支柱の裏面部に弾性圧接状態に当接し得る円弧状係合片が該支柱の長さ方向で位置をずらして逆方向に突設されており、
前記両押圧線状部には、２個のＶ字状の押圧屈曲部が該押圧線状部の長さ方向に隣り合わせて設けられ、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得るものであり、何れか一方のＶ字状の押圧屈曲部は他方のＶ字状の押圧屈曲部よりも、前記側辺部の長さが長く形成されてサイズが大きく形成されており、
サイズの大なる前記Ｖ字状の押圧屈曲部は、前記二重部分に存する２本の前記横線材を収容させることができると共に、サイズの小なる前記Ｖ字状の押圧屈曲部は、前記一重部分に存する１本の横線材を収容させることができることを特徴とするフェンス用の交差部連結用のフックバンド。
【請求項６】
サイズの小なる前記Ｖ字状の押圧屈曲部が前記Ｕ字状屈曲部に近い部位に設けられると共に、サイズの大なる前記Ｖ字状の押圧屈曲部が前記Ｕ字状屈曲部から遠い部位に設けられていることを特徴とする請求項３記載の交差部連結用のフックバンド。
【請求項７】
サイズの小なる前記Ｖ字状の押圧屈曲部が前記Ｕ字状屈曲部に近い部位に設けられると共に、サイズの大なる前記Ｖ字状の押圧屈曲部が前記Ｕ字状屈曲部から遠い部位に設けられていることを特徴とする請求項５記載のフェンス用の交差部連結用のフックバンド。
【請求項８】
サイズの大なる前記Ｖ字状の押圧屈曲部が前記Ｕ字状屈曲部に近い部位に設けられると共に、サイズの小なる前記Ｖ字状の押圧屈曲部が前記Ｕ字状屈曲部から遠い部位に設けられていることを特徴とする請求項３記載の交差部連結用のフックバンド。
【請求項９】
サイズの大なる前記Ｖ字状の押圧屈曲部が前記Ｕ字状屈曲部に近い部位に設けられると共に、サイズの小なる前記Ｖ字状の押圧屈曲部が前記Ｕ字状屈曲部から遠い部位に設けられていることを特徴とする請求項５記載のフェンス用の交差部連結用のフックバンド。
【請求項１０】
前記Ｖ字状の押圧屈曲部のＶ字の角度は７０〜９０度に設定されることを特徴とする請求項１、２、３、６又は８記載の交差部連結用のフックバンド。
【請求項１１】
前記Ｖ字状の押圧屈曲部のＶ字の角度は７０〜９０度に設定されることを特徴とする請求項４、７又は９記載のフェンス用の交差部連結用のフックバンド。
【発明の詳細な説明】
【技術分野】
【０００１】
本発明は、互いに直交する第１の線状材と第２の線状材との交差部を連結する交差部連結用のフックバンドに関するものであり、又、縦方向に延長する縦線状材と横方向に延長する横線状材とを格子状に接合して構成されてなる格子状パネルを、該格子状パネルの端部分相互を重なり状態にして支柱に連結するに際して用いるフェンス用の交差部連結用のフックバンドに関するものである。
【背景技術】
【０００２】
例えば図１４に示すように、縦方向に延長する縦線状材ａと横方向に延長する横線状材ｂとを格子状に接合して構成された格子状パネルｃの複数枚を用い、隣り合う該格子状パネルｃ，ｃの端部分ｄ，ｄ相互の重なり部分ｅを支柱ｆに連結すると共に、両端に位置する該格子状パネルｃ，ｃの端部分ｄを支柱ｆに連結することによって、例えば防獣柵や土地の境界柵等のフェンスを構成する場合、従来においては図１４（Ｂ）に示すように、該支柱ｆと１本乃至２本の前記横線状材ｂとを連結するに際し、該支柱ｆと該横線状材ｂとの交差部ｇを番線ｈを用いて連結していた。しかしながら、番線ｈを用いてこのような連結作業を多数箇所で行うことは、多くの労力を要して作業性が悪く、連結強度がバラツキ易く、又施工コストの上昇を招く問題があった。
【０００３】
例えばこのような、２本の横線状材ａ，ａと支柱ｆとを連結し、又、１本の横線状材ｂと支柱ｆとを連結するという二種類の連結に応じることができるフックバンドとして、例えば特許文献１に係るフックバンドや特許文献２に係るフックバンドを用いることが考えられる。特許文献１に係るフックバンドｊ１は図１５に示すように、弾力性を有する１本の金属線材を屈曲して形成されており、第１の棒材ｋを嵌め入れて該第１の棒材ｋの裏面部ｍを支持するＵ字状屈曲部ｎの左右両端に、第２の棒材ｐを該第１の棒材ｋに向けて押圧する左右一対の押圧線状部ｑ，ｑが、所要間隔を隔てて且つ該第１の棒材ｋの略長さ方向に延長する如く連設されていた。そして、該両押圧線状部ｑ，ｑの先端部ｒ，ｒに、該第１の棒材ｋの裏面部ｍに弾性圧接状態に当接し得る円弧状係合片ｓ，ｓが該第１の棒材ｋの長さ方向で位置をずらして逆方向に突設されており、該両押圧線状部ｑ，ｑには、前記第１の棒材ｋに裏面部ｔで重なる前記第２の棒材ｐの円弧状表面部分ｕに沿うように円弧状に屈曲した１個の押圧屈曲部ｖが設けられていた。
【０００４】
又、特許文献２に係るフックバンドｊ２は図１６に示すように、弾力性を有する１本の金属線材を屈曲して形成されており、第１の棒材ｋを嵌め入れて該第１の棒材ｋの裏面部ｍを支持するＵ字状屈曲部ｎの左右両端に、第２の棒材ｐを該第１の棒材ｋに向けて押圧する左右一対の押圧線状部ｑ，ｑが、所要間隔を隔てて且つ該第１の棒材ｋの略長さ方向に延長する如く連設されていた。そして、該両押圧線状部ｑ，ｑの先端部ｒ，ｒに、該第１の棒材ｋの裏面部ｍに弾性圧接状態に当接し得る円弧状係合片ｓ，ｓが該第１の棒材ｋの長さ方向で位置をずらして逆方向に突設されていた。又、該両押圧線状部ｑ，ｑには、前記第１の棒材ｋに裏面部ｔで重なる前記第２の棒材ｐの円弧状表面部分ｕに沿うように円弧状に屈曲した２個の押圧屈曲部ｖ，ｖが、該押圧線状部ｑ，ｑの夫々の長さ方向に、隣り合わせて波状に設けられており、該２個の押圧屈曲部ｖ，ｖは略同サイズに構成されていた。
【０００５】
図１７及び図１８は、かかる構成を有するフックバンドｊ１, ｊ２を用いて、２本の前記横線状材ｂ，ｂを一纏めにして前記支柱ｆに押圧して連結した状態を示し、又図１９及び図２０は、１本の前記横線状材ｂを支柱ｆに押圧して連結した状態を示している。
【０００６】
しかしながら、前記フックバンドｊ１, ｊ２を用いてかかる連結を行った場合は、前記押圧屈曲部ｖが円弧状に形成されていたため、前記格子状パネルｃを用いて例えば防獣柵を構成した場合、猪等の動物が該柵にぶつかったり或いは該柵をよじ登ろうとした際に、前記横線状材ｂが、図１７〜２０に矢印で示すように、前記押圧屈曲部ｖの円弧状の縁ｗに沿って滑って位置がずれ易く、前記連結が不安定化する問題があった。
【先行技術文献】
【特許文献】
【０００７】
【特許文献１】特開２０００−６５０１９号公報
【特許文献２】特開２０１３−１００８９３号公報
【発明の概要】
【発明が解決しようとする課題】
【０００８】
本発明は、前記問題点に鑑みて開発されたものであり、互いに直交する第１の線状材と第２の線状材との交差部を連結するに際し、該第２の線状材が１本であろうと複数本であろうと、該連結を安定状態で強固に行うことができる交差部連結用のフックバンドの提供を課題とするものである。又、格子状パネルの端部分相互の重なりである二重部分の２本の横線状材を支柱に連結する場合と、該格子状パネルの一重部分の１本の横線状材を支柱に連結する場合の二種類の連結を、一つのフックバンドの使い分けによって達成でき、然も該横線状材を、これが１本であろうと２本であろうと安定状態で強固に支柱に連結し得るフェンス用の交差部連結用のフックバンドの提供を課題とするものである。
【課題を解決するための手段】
【０００９】
前記課題を解決するため本発明は以下の手段を採用する。
即ち、本発明に係る交差部連結用のフックバンド（以下、フックバンドともいう）は、互いに直交する第１の線状材と第２の線状材との交差部を連結する交差部連結用のフックバンドであって、弾力性を有する１本の金属線材を屈曲して形成されている。該第１の線状材の裏面部を支持するＵ字状屈曲部の左右両端に、前記第２の線状材の１本乃至複数本を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されている。そして前記両押圧線状部には、前記第２の線状材を収容させるためのＶ字状の押圧屈曲部が設けられ、該両押圧線状部に設けられている左右のＶ字状の押圧屈曲部は対向配置されており、該両Ｖ字状の押圧屈曲部は、Ｖ字の両側辺部が直線状を呈し、該Ｖ字状の押圧屈曲部のＶ字の底部分及び／又は該側辺部が、前記第２の線状材を前記第１の線状材に向けて押圧し得ることを特徴とするものである。
【００１０】
本発明に係るフックバンドの他の態様は、互いに直交する第１の線状材と第２の線状材との交差部を連結する交差部連結用のフックバンドであって、弾力性を有する１本の金属線材を屈曲して形成されている。前記第１の線状材の裏面部を支持するＵ字状屈曲部の左右両端に、前記第２の線状材を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されている。そして、前記両押圧線状部には、前記第２の線状材を収容させるための複数個のＶ字状の押圧屈曲部が該押圧線状部の長さ方向に並設され、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得ることを特徴とするものである。
【００１１】
本発明に係るフックバンドのその他の態様は、互いに直交する第１の線状材と第２の線状材との交差部を連結する交差部連結用のフックバンドであって、弾力性を有する１本の金属線材を屈曲して形成されている。前記第１の線状材の裏面部を支持するＵ字状屈曲部の左右両端に、前記第２の線状材を該第１の線状材に向けて押圧する左右一対の押圧線状部が、所要間隔を隔てて且つ前記第１の線状材の略長さ方向に延長する如く連設されると共に、該両押圧線状部の先端部に、前記第１の線状材の前記裏面部に弾性圧接状態に当接し得る円弧状係合片が該第１の線状材の長さ方向で位置をずらして逆方向に突設されている。そして、前記両押圧線状部には、前記第２の線状材を収容させるための２個のＶ字状の押圧屈曲部が該押圧線状部の長さ方向に隣り合わせて設けられ、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得るものであり、何れか一方のＶ字状の押圧屈曲部は他方のＶ字状の押圧屈曲部よりも、前記両側辺部の長さが長く形成されてサイズが大きく形成されており、サイズの大なる前記Ｖ字状の押圧屈曲部は、２本の前記第２の線状材を収容させることができると共に、サイズの小なる前記Ｖ字状の押圧屈曲部は、１本の前記第２の線状材を収容させることができることを特徴とするものである。
【００１２】
本発明に係るフェンス用の交差部連結用のフックバンド（以下フックバンドともいう）は、縦方向に延長する縦線材と横方向に延長する横線材とを格子状に接合して構成された格子状パネルの端部分相互の重なりである二重部分の２本の横線材を一纏めにして支柱に押圧して連結し得ると共に、該格子状パネルの一重部分の１本の横線材を支柱に押圧して連結し得るフェンス用の交差部連結用のフックバンドであって、弾力性を有する１本の金属線材を屈曲して形成されており、前記支柱を嵌め入れて該支柱の裏面部を支持するＵ字状屈曲部の左右両端に、前記横線材を該支柱に向けて押圧する左右一対の押圧線状部が、所要間隔を隔てて且つ前記支柱の略長さ方向に延長する如く連設されると共に、該両押圧線状部の先端部に、前記支柱の裏面部に弾性圧接状態に当接し得る円弧状係合片が該支柱の長さ方向で位置をずらして逆方向に突設されている。そして、前記両押圧線状部には、複数個のＶ字状の押圧屈曲部が該押圧線状部の長さ方向に並設され、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材の１本乃至複数本を前記第１の線状材に向けて押圧し得ることを特徴とするものである。
【００１３】
本発明に係るフックバンドのその他の態様は、縦方向に延長する縦線材と横方向に延長する横線材とを格子状に接合して構成された格子状パネルの端部分相互の重なりである二重部分の２本の横線材を一纏めにして支柱に押圧して連結し得ると共に、該格子状パネルの一重部分の１本の横線材を支柱に押圧して連結し得るフェンス用の交差部連結用のフックバンドであって、弾力性を有する１本の金属線材を屈曲して形成されており、前記支柱を嵌め入れて該支柱の裏面部を支持するＵ字状屈曲部の左右両端に、前記横線材を該支柱に向けて押圧する左右一対の押圧線状部が、所要間隔を隔てて且つ前記支柱の略長さ方向に延長する如く連設されると共に、該両押圧線状部の先端部に、前記支柱の裏面部に弾性圧接状態に当接し得る円弧状係合片が該支柱の長さ方向で位置をずらして逆方向に突設されている。そして、前記両押圧線状部には、２個のＶ字状の押圧屈曲部が該押圧線状部の長さ方向に隣り合わせて設けられ、該両押圧線状部に設けられている左右のＶ字状の押圧屈曲部は対向配置されており、該両Ｖ字状の押圧屈曲部は共に、Ｖ字の両側辺部が直線状を呈し、該Ｖ字状の押圧屈曲部のＶ字の底部分及び／又は該側辺部が、前記第２の線状材を前記第１の線状材に向けて押圧し得るものであり、何れか一方のＶ字状の押圧屈曲部は他方のＶ字状の押圧屈曲部よりも、前記側辺部の長さが長く形成されてサイズが大きく形成されている。そして、サイズの大なる前記Ｖ字状の押圧屈曲部は、前記二重部分に存する２本の前記横線材を収容させることができると共に、サイズの小なる前記Ｖ字状の押圧屈曲部は、前記一重部分に存する１本の横線材を収容させることができることを特徴とするものである。
【００１４】
前記の各フックバンドにおいて、サイズの小なる前記Ｖ字状の押圧屈曲部を前記Ｕ字状屈曲部に近い部位に設けると共に、サイズの大なる前記Ｖ字状の押圧屈曲部を前記Ｕ字状屈曲部から遠い部位に設けるのがよい。これとは逆に、サイズの大なる前記Ｖ字状の押圧屈曲部が前記Ｕ字状屈曲部に近い部位に設ける共に、サイズの小なる前記Ｖ字状の押圧屈曲部を前記Ｕ字状屈曲部から遠い部位に設けてもよい。
【００１５】
前記の各フックバンドにおいて、前記Ｖ字状の押圧屈曲部のＶ字の角度を７０〜９０度に設定するのがよい。
【発明の効果】
【００１６】
本発明は以下の如き優れた効果を奏する。
本発明に係る交差部連結用のフックバンドによるときは、互いに直交する第１の線状材と第２の線状材との交差部を安定状態で強固に連結でき、該交差部が複数あるときも、各部均一な強度で連結できる。
【００１７】
又本発明に係るフェンス用の交差部連結用のフックバンドによるときは、格子状パネルの端部分相互の重なりである二重部分の２本の横線状材を支柱に連結する場合と、該格子状パネルの一重部分の１本の横線状材を支柱に連結する場合の二種類の連結を、サイズの大なるＶ字状の押圧屈曲部と、サイズの小なるＶ字状の押圧屈曲部の使い分けによって達成でき、該横線状材を、これが１本であろうと２本であろうと安定状態で強固に支柱に連結することができ、該交差部が複数あるときも、各部均一な強度で連結できる。
【図面の簡単な説明】
【００１８】
【図１】本発明に係るフックバンドの一例を示す斜視図である。
【図２】その使用状態の一態様を示す斜視図である。
【図３】その使用状態を示す側面図である。
【図４】その使用状態の他の態様を示す斜視図である。
【図５】その使用状態を示す側面図である。
【図６】本発明に係るフックバンドを用いて格子状パネルを支柱に連結してフェンスを構成した状態を示す正面図である。
【図７】本発明に係るフックバンドのその他の使用態様を示す斜視図である。
【図８】その使用状態を示す側面図である。
【図９】本発明に係るフックバンドの他の例を示す斜視図である。
【図１０】その使用状態の一態様を示す側面図である。
【図１１】その使用状態の他の態様を示す側面図である。
【図１２】本発明に係るフックバンドのその他の態様をその使用状態で示す側面図である。
【図１３】Ｖ字状の押圧屈曲部の他の構成を示す側面図である。
【図１４】格子状パネルを支柱に取り付けて構成された従来のフェンスを示す正面図である。
【図１５】従来のフックバンドの一例を示す斜視図である。
【図１６】従来のフックバンドの他の例を示す斜視図である。
【図１７】従来のフックバンドの問題点を説明する側面図である。
【図１８】従来のフックバンドの問題点を説明する側面図である。
【図１９】従来のフックバンドの問題点を説明する側面図である。
【図２０】従来のフックバンドの問題点を説明する側面図である。
【発明を実施するための形態】
【実施例１】
【００１９】
図１〜５において本発明に係るフックバンド１の基本的な構成は、互いに直交する第１の線状材２と第２の線状材３との交差部５を連結するものであり、弾力性を有する１本の金属線材を屈曲して形成されている。そして、該第１の線状材２の裏面部６を支持するＵ字状屈曲部７の左右両端８，８に、前記第２の線状材３を該第１の線状材２に向けて押圧する左右一対の押圧線状部９，９が、所要間隔を隔てて且つ前記第１の線状材２の略長さ方向に延長する如く連設されると共に、該両押圧線状部９，９の先端部１０，１０に、前記第１の線状材２の前記裏面部６に弾性圧接状態に当接し得る円弧状係合片１１，１１が該第１の線状材２の長さ方向で位置をずらして逆方向に突設されている。
【００２０】
前記両押圧線状部９，９には、前記第２の線状材３の１本乃至複数本を収容させるためのＶ字状の押圧屈曲部１２が設けられ、該両押圧線状部９，９に設けられている左右のＶ字状の押圧屈曲部１２，１２は、図１に示すように対向配置されており、該Ｖ字状の押圧屈曲部１２は、Ｖ字の両側辺部１３，１３が直線状を呈し、該Ｖ字状の押圧屈曲部１２のＶ字の底部分１５及び／又は該側辺部１３が、前記第２の線状材３を前記第１の線状材２に向けて押圧し得るものである。
【００２１】
該フックバンド１は、本実施例においては図１に示すように、例えば鉄線等の弾力性を有する１本の金属線材（例えば線材径が約２ｍｍ）を屈曲して形成されている。そして、前記両押圧線状部９，９の夫々に、２個の前記Ｖ字状の押圧屈曲部１２，１２が該押圧線状部９，９の長さ方向に隣り合わせて設けられており、該両押圧線状部９，９に設けられている左右のＶ字状の押圧屈曲部１２，１２は対向配置されている。そして、該両Ｖ字状の押圧屈曲部１２，１２は共に、本実施例においては底部１４が円弧部とされ、且つ、Ｖ字の両側辺部１３，１３が直線状を呈し、何れか一方のＶ字状の押圧屈曲部１２ａは他方のＶ字状の押圧屈曲部１２ｂよりも、該両側辺部１３，１３の長さが長く形成されてサイズが大きく形成されている。そして、サイズの大なる該Ｖ字状の押圧屈曲部１２ａは、図２〜３に示すように、２本の前記第２の線状材３，３を収容させることができると共に、サイズの小なる前記Ｖ字状の押圧屈曲部１２ｂは、図４〜５に示すように、１本の前記第２の線状材３を収容させることができるものである。
【００２２】
前記フックバンド１は、例えば図６に示すような、防獣柵や土地の境界柵等としてのフェンス２５を構成するために応用できる。該フェンス２５は、縦方向に延長する縦線材１６と横方向に延長する横線材１７とを格子状に接合して構成された格子状パネル１９を、該フックバンド１を用い、地面に立設した支柱２０（前記第１の線状材２の一種）に押圧状態に連結して構成されている。そして該フックバンド１は、図２〜３に示すように、該格子状パネル１９の端部分２１，２１相互の重なりである二重部分２２の２本の該横線材（前記第２の線状材３の一種）１７，１７を一纏めにして該支柱２０に押圧状態に連結し、又図４〜５に示すように、該格子状パネル１９の一重部分２３の１本の横線材（前記第２の線状材３の一種）１７を該支柱２０に押圧状態に連結する。
【００２３】
該格子状パネル１９のサイズは、図６においては、高さが約１２００ｍｍで長さが１５００ｍｍ程度に設定され、前記二重部分２２の重なり長さは約２８０ｍｍに設定されている。又前記横線材１７と前記縦線材１６の線材径は、例えば約５ｍｍに設定され、又、前記支柱２０の径は約２０ｍｍに設定されている。又、該フックバンド１の各部のサイズは前記格子状パネル１９を構成する前記横線材１７のサイズに合わせて設定されており、サイズの大なる前記Ｖ字状の押圧屈曲部１２ａは、Ｖ字の角度が約７３度で前記両側辺部１３，１３の長さが約１７ｍｍに設定され、サイズの小なる該Ｖ字状の押圧屈曲部１２ｂは、Ｖ字の角度が約８８度で前記両側辺部１３，１３の長さが約１３ｍｍに設定されている。
【００２４】
図２〜３は、前記Ｕ字状屈曲部７に前記支柱２０を嵌め入れて該Ｕ字状屈曲部７を該支柱２０の裏面部６で支持させると共に、該支柱２０から遠い位置にある、サイズの大なる前記Ｖ字状の押圧屈曲部１２ａに、前記二重部分２２ (図６）に存する２本の前記横線材１７，１７を収容させ、該収容状態で、前記円弧状係合片１１，１１を前記支柱２０の裏面部６に弾性圧接状態に当接させた状態を示している。該当接状態は、本実施例においては図２に示すように、前記二重部分２２では、前記支柱２０に近い位置に存する前記端部分２１（２１ａ）の前記縦線材１６（１６ａ）が、該支柱２０に、より接近した状態となるように配置され、該支柱２０から遠い位置に存する前記端部分２１（２１ｂ）の前記縦線材１６（１６ｂ）が、該支柱２０から、より離れた状態となるように配置されている。
【００２５】
然して、前記二重部分２２を構成する前記端部分２１ａ，２１ｂの横線材１７（１７ａ），１７（１７ｂ）は図３に示すように、上下に稍位置ずれした状態で、前記サイズの大なるＶ字状の押圧屈曲部１２ａの両側辺部１３，１３によって前記支柱２０に向けて押圧される。これによって、該２本の横線材１７，１７は前記支柱２０に強固に安定状態で連結される。
【００２６】
又図４〜５は、前記一重部分２３ (図６）における前記１本の横線材１７を前記支柱２０に押圧状態に連結した場合であり、該横線材１７が、前記サイズの小なるＶ字状の押圧屈曲部１２ｂの底部分１５によって前記支柱２０に向けて押圧される。これによって、該１本の横線材１７は該支柱２０に強固に安定状態で連結される。なお該１本の横線材１７を、サイズの小なる前記Ｖ字状の押圧屈曲部１２ｂに収容させるのは、前記支柱２０に対する押圧力を高めるためである。
【００２７】
図６においては、前記二重部分２２及び前記一重部分２３が、前記フックバンド１を用いて、例えば上下２箇所の部位２６，２７で前記支柱２０に連結されている。
【００２８】
図７は、前記Ｕ字状屈曲部７に前記支柱２０を嵌め入れて該Ｕ字状屈曲部７を該支柱２０の裏面部６で支持させると共に、該支柱２０から遠い位置にある、サイズの大なる前記Ｖ字状の押圧屈曲部１２ａに、前記二重部分２２に存する２本の前記横線材１７，１７を収容させ、該収容状態で、前記円弧状係合片１１，１１を前記支柱２０の裏面部６に弾性圧接状態に当接させた他の状態を示している。該当接状態は、本実施例においては、図７に示すように、前記フェンス２５を構成する全ての格子状パネル１９を、前記縦線材１６が前記支柱２０に、より接近状態となるように配置している。そのため前記二重部分２２では、該支柱２０から遠い位置に存する前記端部分２１（２１ａ）の前記横線材１７（１７ａ）は、図８に示すように、前記底部分１５に納まった状態で該底部分１５によって該支柱２０に向けて押圧される。この押圧状態で、該端部分２１ａの前記縦線材１６（１６ａ）が、該横線材１７ａによって、前記支柱２０に近い位置に存する前記端部分２１（２１ｂ）の前記横線材１７（１７ｂ）を該支柱２０に向けて押圧する。この押圧状態で、該横線材１７ｂは該支柱２０に当接状態となるが、該横線材１７ｂは、前記Ｖ字の側辺部１３で該支柱２０に向けて押圧されることもあれば、該側辺部１３に接触しないこともある。図８においては、該横線材１７が該側辺部１３に接触している。
【００２９】
この場合、前記一重部分２３における前記１本の横線材１７を前記支柱２０に押圧状態に連結した状態は、図４〜５に基づいて前記したところと同様である。
【００３０】
ここで、前記横線材１７の１本乃至２本を前記支柱２０に安定状態で強固に連結できる理由を説明すれば、次のようである。
【００３１】
前記Ｖ字状の押圧屈曲部１２ａ，１２ｂに収容されて前記支柱２０に押圧状態にある横線材１７は、特許文献１、２におけるように押圧屈曲部が円弧状を呈するのとは異なり、Ｖ字状を呈する。従って該横線材１７は、ガタツキが生じにくい状態で該Ｖ字状の押圧屈曲部１２ａ，１２ｂに収容され、該Ｖ字状の押圧屈曲部１２ａ，１２ｂに確実に拘束された状態となる。もしも押圧屈曲部が円弧状に構成されていると、猪等の動物が前記フェンス２５にぶつかったり或いは該フェンス２５をよじ登ろうとした際や、該フェンス２５に強風が作用した際等、該フェンス２５に大きな外力が作用した際に、該横線材１７が該押圧屈曲部の円弧状の縁２９に沿って例えば図１６〜１９に矢印で示すように滑って位置がずれ易く、該押圧屈曲部３０で該横線材１７を確実に拘束できないこととなる。
【００３２】
加えて、前記Ｖ字状の押圧屈曲部１２ａ，１２ｂはＶ字状を呈するため、これが特許文献１、２におけるような円弧状を呈するものに比して拡開抵抗が大きい。従って、該Ｖ字状の押圧屈曲部１２に収容されている前記横線材１７は、直線状の前記両側辺部１３，１３によって前記支柱２０に向けて強力に押圧されることとなる。それ故、該フックバンド１によるときは、該横線材１７を該支柱２０に安定状態に強固に連結できることとなり、防獣柵等のフェンスの強度的安定化を図り得る。
【実施例２】
【００３３】
本発明は、前記実施例で示したものに限定されるものでは決してなく、「特許請求の範囲」の記載内で種々の設計変更が可能であることはいうまでもない。その一例を挙げれば次のようである。
【００３４】
(1) 図９に示すフックバンド１は、サイズの大なる前記Ｖ字状の押圧屈曲部１２（１２ａ）が前記Ｕ字状屈曲部７に近い部位に設けられと共に、サイズの小なる前記Ｖ字状の押圧屈曲部１２（１２ｂ）が前記Ｕ字状屈曲部７から遠い部位に設けられている。図１０、図１１はその使用状態を示している。この場合も前記と同様の作用効果が得られる。
【００３５】
(2) 図１２（Ａ）（Ｂ）に示すフックバンド１は、前記押圧線状部９に１個のＶ字状の押圧屈曲部１２が設けられた場合を、使用状態で示している。
【００３６】
(3) 前記フックバンド１の押圧線状部９，９の夫々に、サイズの異なる２種類のＶ字状の押圧屈曲部１２ａ，１２ｂを設ける場合、該フックバンド１を装着するための交差部５の配置状態によっては、該フックバンドの装着の容易性を考慮して、前記第２の線状材３の１本を、前記サイズの大なるＶ字状の押圧屈曲部１２ａに収容させて該１本の第２の線状材を前記第１の線状材２に押圧状態に連結することもある。
【００３７】
(4) 前記押圧線状部９，９の夫々に２個のＶ字状の押圧屈曲部１２，１２を設ける場合、該２個の押圧屈曲部１２，１２が略同サイズに構成されることもある。
【００３８】
(5) 前記押圧線状部９，９の夫々に、前記Ｖ字状の押圧屈曲部１２を３個以上設けることもある。
【００３９】
(6) 前記Ｖ字状の押圧屈曲部１２ｂのＶ字の角度は、前記横線材１７の径（例えば４〜８ｍｍ）に応じて所要に設定されるものであり、例えば７０〜９０度に設定できる。
【００４０】
(7) 前記Ｖ字状の押圧屈曲部１２の底部１４は、図１３に示すように鋭角的に構成されることもある。
【００４１】
(8) 本発明に係るフックバンド１は、前記防獣柵や境界柵等としてのフェンスの構成に用いることができる他、前記と同様構成の格子状パネルを用いて園芸用フェンスやエクステリア用フェンス、ドッグラン用フェンス等の各種のフェンスを構成する場合において、前記第１の線状材２と前記第２の線状材３との交差部５を連結するために用いることができる。本発明に係るフックバンド１は、その他、第２の線状材３の１本乃至複数本（２本や３本等）を前記Ｖ字状の押圧屈曲部１２に収容させ、これを第１の線状材２に向けて押圧することによって該第１の線状材２と該第２の線状材３との交差部５を連結する場合に広く用いることができる。
【符号の説明】
【００４２】
１  フックバンド
２  第１の線状材
３  第２の線状材
５  交差部
６  裏面部
７  Ｕ字屈曲部
９  押圧線状部
１０  先端部
１１  円弧状係合片
１２  Ｖ字状の押圧屈曲部
１３  側辺部
１５  Ｖ字の底部分
１６  縦線材
１７  横線材
１９  格子状パネル
２０  支柱
２２  二重部分
２３  一重部分
２５  フェンス
【図１】
2017219164.tif 000003
【図２】
2017219164.tif 000004
【図３】
2017219164.tif 000005
【図４】
2017219164.tif 000006
【図５】
2017219164.tif 000007
【図６】
2017219164.tif 000008
【図７】
2017219164.tif 000009
【図８】
2017219164.tif 000010
【図９】
2017219164.tif 000011
【図１０】
2017219164.tif 000012
【図１１】
2017219164.tif 000013
【図１２】
2017219164.tif 000014
【図１３】
2017219164.tif 000015
【図１４】
2017219164.tif 000016
【図１５】
2017219164.tif 000017
【図１６】
2017219164.tif 000018
【図１７】
2017219164.tif 000019
【図１８】
2017219164.tif 000020
【図１９】
2017219164.tif 000021
【図２０】
2017219164.tif 000022